(57)【特許請求の範囲】
【請求項１】
装置本体に発光部を配置するとともに、前記装置本体に複数の操作部材を配置してなる電子閃光装置において、
前記発光部からの閃光を反射する反射板を前記装置本体内に引き出し可能に配置するとともに、前記反射板の裏面に、前記複数の操作部材のうち２以上の操作部材を同時に操作する使用頻度が低い操作方法を記載してなることを特徴とする電子閃光装置。
【請求項２】
請求項１記載の電子閃光装置において、
前記反射板に記載される操作方法は、前記反射板を前記装置本体から引き出した時に、前記操作部材の目視方向と同一方向から目視可能とされていることを特徴とする電子閃光装置。
【発明の詳細な説明】
【０００１】
【発明の属する技術分野】
本発明は、電子閃光装置に係わり、特に、装置本体に複数の操作部材を配置してなる電子閃光装置に関する。
【０００２】
【従来の技術】
一般に、カメラに装着されて使用される電子閃光装置には、電子閃光装置を所定の条件で動作させるために種々の操作部材が配置されている。
図８は、この種の電子閃光装置を示すもので、この電子閃光装置では、装置本体１の背面の上部には、ＴＴＬ調光、外部調光、マニュアル調光等の発光モードを切り換えるための発光モード切換えスイッチ２が配置されている。
【０００３】
また、背面の左側中間部には、ＩＳＯ値を切り換えるＩＳＯ切換えスイッチ３が配置され、左側下部には、電源状態を制御するための電源スイッチ４が配置されている。
そして、背面の右側下部には、レディライト表示窓５およびテスト発光ボタン６が配置されている。
【０００４】
このような電子閃光装置では、発光モード切換えスイッチ２、ＩＳＯ切換えスイッチ３および電源スイッチ４がスライドスイッチにより構成され、テスト発光ボタン６がプッシュスイッチにより構成されており、それぞれのスイッチの近傍には、設定値が記載されているため、使用者は、使用説明書を見ることなく、各スイッチを正しく操作することができる。
【０００５】
一方、近時、ＣＰＵを内蔵する電子閃光装置が開発されており、このような電子閃光装置では、操作スイッチが、従来のスライドスイッチからプッシュスイッチになる傾向があり、また、スイッチの数も大幅に増大されている。
図９は、このような電子閃光装置を示すもので、この電子閃光装置は、装置本体が、上部装置本体８と下部装置本体９により構成されている。
【０００６】
そして、下部装置本体９の背面に、電子閃光装置を動作させるための種々の操作部材が配置されている。
すなわち、この電子閃光装置では、下部装置本体９の背面の上部には、不図示の内蔵されたＣＰＵにより種々の設定された情報を表示するＬＣＤ等からなる表示部１０が配置されている。
【０００７】
そして、この表示部１０の下方には、左側から順に、操作部材であるズームスイッチ１１、発光モード切換えスイッチ１２、セレクトスイッチ１３、アップスイッチ１４およびダウンスイッチ１５が配置されている。
また、これ等のスイッチの下段には、左側から順に、テスト発光ボタン１６、イルミスイッチ１７、電源スイッチ１８が配置されている。
【０００８】
さらに、これ等のスイッチの下段には、レディライト表示窓１９が配置されている。
そして、この電子閃光装置では、スイッチ１１〜１８の数が増大することを防止するために、一度設定したら滅多に使用されない機能は、複数のスイッチ１１〜１８のうち２つのスイッチを同時に操作することにより設定可能とされている。
【０００９】
すなわち、例えば、イルミスイッチ１７と電源スイッチ１８とを同時に押すことにより、表示部１０に表示される調光可能距離表示のｍ(メートル)とｆｔ(フィート)との切り換え操作が可能となる。
【００１０】
【発明が解決しようとする課題】
しかしながら、このような電子閃光装置では、複数のスイッチ１１〜１８のうち２つのスイッチを同時に操作することにより設定される機能は、一度設定したら滅多に使用されない機能であるため、使用者が、使用説明書無しに、この機能を設定することは非常に困難であるという問題があった。
【００１１】
そこで、操作部材であるスイッチ１１〜１８の操作方法を上部装置本体８あるいは下部装置本体９の側面等に単に記載することが考えられるが、この場合には、表示が常に使用者の目に止まるため、表示が使用者にとって目障りなものになる。
本発明は、かかる従来の問題を解決するためになされたもので、使用者に目障りにならないように操作部材の操作方法を確実に表示することができる電子閃光装置を提供することを目的とする。
【００１２】
【課題を解決するための手段】
請求項１の電子閃光装置は、装置本体に発光部を配置するとともに、前記装置本体に複数の操作部材を配置してなる電子閃光装置において、前記発光部からの閃光を反射する反射板を前記装置本体内に引き出し可能に配置するとともに、前記反射板の裏面に、前記複数の操作部材のうち２以上の操作部材を同時に操作する使用頻度が低い操作方法を記載してなることを特徴とする。
【００１３】
請求項２の電子閃光装置は、請求項１記載の電子閃光装置において、前記反射板に記載される操作方法は、前記反射板を前記装置本体から引き出した時に、前記操作部材の目視方向と同一方向から目視可能とされていることを特徴とする。
【００１５】
(作用)
請求項１の電子閃光装置では、装置本体内に収容自在に配置される反射板に、操作部材の操作方法が記載され、反射板を引き出した時にのみ操作部材の操作方法が目視可能になる。
【００１６】
また、複数の操作部材のうち２以上の操作部材を同時に操作する操作方法のみが反射板に記載される。
請求項２の電子閃光装置では、反射板を装置本体から引き出した時に、反射板に記載される操作方法が、操作部材の目視方向と同一方向から目視可能とされる。
【００１７】
【発明の実施の形態】
以下、本発明の実施形態を図面を用いて説明する。
図１は、本発明の電子閃光装置の第１の実施形態を示している。
【００１８】
この実施形態では、電子閃光装置の装置本体が、上部装置本体３１と下部装置本体３３により構成されている。
上部装置本体３１は、回動部３５を介して下部装置本体３３に対して上下方向に回動自在に配置されている。
上部装置本体３１には、撮影時に閃光を発光する発光部３７が配置されている。
【００１９】
上部装置本体３１の発光部３７の上側には、ワイドパネル３９および反射板４１が、上部装置本体３１内に収容自在に配置されている。
なお、ワイドパネル３９は、発光部３７の発光窓４３からの閃光を拡散し、照射角を変更するもので、例えば、透明な板部材の表面にピラミッド形の突部を多数形成したものが使用される。
【００２０】
また、反射板４１は、特に、バウンス撮影時に被写体の目を生き生きと撮影するために使用され、バウンス光に対してそれ程強くはならず、かつ色温度も変わらないような、例えば、乳白色をした厚み０.２〜０.４ｍｍ程度のポリエステル等の板材が使用される。
図２は、図１の電子閃光装置の背面を示しており、この実施形態では、下部装置本体３３の背面に、電子閃光装置を動作させるための種々の操作部材が配置されている。
【００２１】
すなわち、この電子閃光装置では、下部装置本体３３の背面の上部には、不図示の内蔵されたＣＰＵにより種々の設定された情報を表示するＬＣＤ等からなる表示部４５が配置されている。
そして、この表示部４５の下方には、左側から順に、操作部材であるズームスイッチＳ１、発光モード切換えスイッチＳ２、セレクトスイッチＳ３、アップスイッチＳ４およびダウンスイッチＳ５が配置されている。
【００２２】
また、これ等のスイッチの下段には、左側から順に、テスト発光ボタンＳ６、イルミスイッチＳ７、電源スイッチＳ８が配置されている。
さらに、これ等のスイッチの下段には、レディライト表示窓４７が配置されている。
なお、ズームスイッチＳ１は、発光部３７から発光される閃光の照射角度を変化するためのスイッチであり、また、発光モード切換えスイッチＳ２は、ＴＴＬ調光、外部調光、マニュアル調光等の発光モードを切換えるためのスイッチである。
【００２３】
さらに、セレクトスイッチＳ３は、ＩＳＯ値、絞り値等の入力を選択的に設定するためのスイッチであり、また、アップスイッチＳ４およびダウンスイッチＳ５は、セレクトスイッチＳ３によって選択された内容を変更するためのスイッチである。
また、テスト発光ボタンＳ６は、テスト発光を行うためのスイッチ、イルミスイッチＳ７は、表示部４５を照明するためのスイッチであり、電源スイッチＳ８は、電源状態を制御するためのスイッチである。
【００２４】
そして、この実施形態では、表示部４５の上部には、『ＳＰＥＥＤＬＩＧＨＴ』という文字Ｍ１が印刷されている。
また、ズームスイッチＳ１の上には『ＺＯＯＭ』という文字Ｍ２、発光モード切換えスイッチＳ２の上には『ＭＯＤＥ』という文字Ｍ３、セレクトスイッチＳ３の上には『ＳＥＬ』という文字Ｍ４が印刷されている。
【００２５】
さらに、アップスイッチＳ４の上には『＋』という記号Ｋ１、ダウンスイッチＳ５の上には『−』という記号Ｋ２が印刷されている。
そして、イルミスイッチＳ７の下には照明を示す記号（マーク）Ｋ３が印刷され、電源スイッチＳ８の下には『ＯＮ／ＯＦＦ』という文字Ｍ５が印刷されている。
【００２６】
この実施形態では、上述した文字Ｍ１〜Ｍ５および記号Ｋ１〜Ｋ３が、蓄光性塗料により印刷表示されている。
この蓄光性塗料は、明るい場所に置かれている間に発光するエネルギーを蓄え、暗闇で発光する性質を有している。
このような蓄光性塗料としては、例えば、アルミン酸ストロンチウムを材料とするＮ夜光（ルミノーバ）（根本特殊化学株式会社の商品名）がある。
【００２７】
このＮ夜光（ルミノーバ）は、硫化亜鉛を材料とする従来の夜光塗料に比べて、放射性物質を含まず、残光時間が１０倍程度あり、耐光性にも優れている等多くの長所を有している。
また、アクリル、シリコンゴム等に混ぜ合わせて成形することも可能である。なお、Ｎ夜光については、例えば、日経サイエンスの１９９６年５月号に詳細に記載されている。
【００２８】
この実施形態では、セレクトスイッチＳ３には、図３に示すように、円柱状の突起Ｓ３ａが一体形成されている。
また、アップスイッチＳ４の表面にはプラス記号が、ダウンスイッチＳ５の表面にはマイナス記号が、凸文字により形成されている。
従って、蓄光性塗料による印刷とは別に、手触りによってもセレクトスイッチＳ３、アップスイッチＳ４、およびダウンスイッチＳ５を識別することができる。
【００２９】
さらに、この実施形態では、操作部材である各スイッチＳ１〜Ｓ８が、上述した蓄光性塗料が混入されるアクリル、シリコンゴム等の樹脂により形成されており、各スイッチＳ１〜Ｓ８が暗闇において発光される。
そして、この実施形態では、図１に示したように、反射板４１の裏面にシール４９が貼着されている。
【００３０】
図４は、このシール４９の詳細を示すもので、このシール４９は、樹脂，紙等からなるシール本体５１を有している。
このシール本体５１の裏側に隣接して反射層５３が形成され、また、反射層５３に隣接して接着剤層５５が形成されている。
【００３１】
この実施形態では、反射層５３は、アルミニウム，銀等の金属箔により形成されている。
そして、この実施形態では、シール本体５１の表面には、上述した操作部材からなるスイッチＳ１〜Ｓ８の操作方法の説明図が印刷されている。
なお、この実施形態では、シール本体５１には、一度設定したら滅多に使用されない機能が印刷される。
【００３２】
図５は、シール本体５１の表面に印刷される操作方法の説明図を示すもので、ここには、滅多に使用しない機能を発揮させるために２つのスイッチを同時に操作するスイッチ操作が記載されている。
なお、図５において、黒塗りに文字を白抜きした部材は、図２に示したスイッチＳ１〜Ｓ８に対応しており、図２のスイッチＳ１〜Ｓ８と同一部材には同一符号が付されている。
【００３３】
ここで、『Ｍ  ＺＯＯＭ  ＯＮＬＹ』は、ズームスイッチＳ１とアップスイッチＳ４とを同時に押した時に設定される機能であり、不図示のデータ交信可能なカメラに装着された時に自動的に照射角度の可変が可能となる機能をキャンセルする時に使用されるスイッチ操作である。
ワイドパネル３９が折れた絵が書かれているのは、ズームスイッチＳ１とセレクトスイッチＳ３を同時に押した時に設定される機能であり、図１に示したワイドパネル３９が何らかの原因によって電子閃光装置から外れてしまった時に使用されるスイッチ操作である。
【００３４】
『ＮＯ  ＡＦ  ＩＬＬ』は、発光モード切換えスイッチＳ２とダウンスイッチＳ５を同時に押した時に設定される機能であり、オートフォーカス動作を補助するために電子閃光装置が照射するための不図示のＡＦ補助光を強制的に点灯させなくする時に使用されるスイッチ操作である。
【００３５】
『ＯＮ／ＳＴＢＹ』は、発光モード切換えスイッチＳ２と電源スイッチＳ８とを同時に押した時に設定される機能であり、ＯＮ時は常に電源がＯＮになっている状態であり、ＳＴＢＹ時はある所定時間操作が行われなかった場合にエネルギーセーブのために電源が一時的にＯＦＦにされる。
なお、このＳＴＢＹ状態は、電源スイッチＳ８で設定されるＯＦＦとは異なり、Ｘ接点が閉成されたり、不図示のカメラに電気的に接続される脚部接点に、カメラから信号が出力されると電源スイッチＳ８の操作をしなくても電源状態がＯＮになるモードである。
【００３６】
『(ｍ)／(ｆｔ)』は、イルミスイッチＳ７と電源スイッチＳ８とを同時に押した時に設定される機能であり、表示部４５に表示される調光可能距離範囲の距離単位をｍ(メートル)あるいはｆｔ(フィート)で表す時に使用されるスイッチ操作である。
上述した電子閃光装置を使用してのバウンス撮影は、例えば、図６に示すように、上部装置本体３１から反射板４１を引き出した状態で発光窓４３を、天井５７に向けて位置させ、発光部３７を閃光させることにより行われる。
【００３７】
そして、このようなバウンス撮影では、発光部３７からの閃光が、反射板４１に確実に反射され、被写体５９に照射されるため、被写体５９の目に生き生きとしたアイキャッチ効果を出すことができる。
以上のように構成された電子閃光装置では、上部装置本体３１内に収容自在に配置される板部材である反射板４１に、操作部材であるスイッチＳ１〜Ｓ８の操作方法を記載したので、反射板４１を引き出した時にのみスイッチＳ１〜Ｓ８の操作方法が目視可能になり、この結果、使用者に目障りにならないようにスイッチＳ１〜Ｓ８の操作方法を確実に表示することができる。
【００３８】
また、上述した電子閃光装置では、複数のスイッチＳ１〜Ｓ８のうち２以上のスイッチを同時に操作する操作方法のみを反射板４１に記載するようにしたので、一度設定したら滅多に使用されない機能を、反射板４１の記載に基づいて容易，確実に設定することができる。
【００３９】
さらに、上述した電子閃光装置では、図６に示したように、上部装置本体３１と下部装置本体３３とを直線状に配置し、反射板４１を上部装置本体３１から引き出した時に、反射板４１に記載される操作方法を、スイッチＳ１〜Ｓ８の目視方向と同一方向から目視可能にしたので、反射板４１に記載される操作方法を目視しながら、スイッチＳ１〜Ｓ８を容易，確実に操作することができる。
【００４０】
また、上述した電子閃光装置では、発光部３７からの閃光を反射する反射板４１に、スイッチＳ１〜Ｓ８の操作方法を記載したので、別途板部材を設けることなく操作方法を容易，確実に記載することができる。
そして、さらに、上述した電子閃光装置では、反射板４１を透過した一部の光が反射板４１の裏面に貼着されるシール４９の反射層５３により反射されるため、反射板４１の反射率を従来より大幅に向上することができる。
【００４１】
また、上述した電子閃光装置では、下部装置本体３３に、文字Ｍ１〜Ｍ５および記号Ｋ１〜Ｋ３を、蓄光性塗料により表示するようにしたので、特別な部品を使用することなく、下部装置本体３３に表示される文字Ｍ１〜Ｍ５および記号Ｋ１〜Ｋ３を暗闇において確実に視認することができる。
従って、暗闇においても操作部材であるスイッチＳ１〜Ｓ８を容易，確実に操作することができる。
【００４２】
図７は、本発明の電子閃光装置の第２の実施形態を示すもので、この実施形態では、図２に示した下部装置本体３３の表示部４５のパネル板６１が、例えば、透明なアクリル樹脂により形成される導光板とされている。
そして、パネル板６１の裏面に、例えば、『ＳＰＥＥＤＬＩＧＨＴ』という文字Ｍ１が、蓄光性塗料により印刷表示されている。
【００４３】
パネル板６１の端面には、光ファイバー６３の一端が位置され、光ファイバー６３の他端が、発光部３７に配置されるキセノン管６５の近傍に延在されている。
この実施形態では、発光部３７のキセノン管６５からの閃光が、発光毎に光ファイバー６３により導光板であるパネル板６１に導かれ、パネル板６１を介して蓄光性塗料により表示された文字Ｍ１に照射される。
【００４４】
従って、暗闇での使用時にも発光特性を持続することが可能となり、パネル板６１に表示される文字Ｍ１を、使用者は、容易，確実に、目６７により認識することができる。
なお、上述した実施形態では、反射板４１の裏面にスイッチＳ１〜Ｓ８の操作方法を記載した例について説明したが、本発明はかかる実施形態に限定されるものではなく、例えば、上部装置本体３１または下部装置本体３３に別途板部材を収容可能に配置し、この板部材にスイッチの操作方法を記載しても良い。
【００４５】
また、上述した実施形態では、２個のスイッチを同時に押すことにより所定の機能を設定する操作方法について説明したが、本発明はかかる実施形態に限定されるものではなく、例えば、３個のスイッチを同時に押すことにより所定の機能を設定するようにしても良い。
さらに、上述した実施形態では、上部装置本体３１と下部装置本体３３により装置本体を構成した例について説明したが、本発明はかかる実施形態に限定されるものではなく、上部装置本体と下部装置本体とを一体に構成しても良い。
【００４６】
また、上述した実施形態では、蓄光性塗料により文字Ｍ１〜Ｍ５および記号Ｋ１〜Ｋ３そのものを直接印刷表示した例について説明したが、本発明はかかる実施形態に限定されるものではなく、文字または記号の外側部分を蓄光性塗料により印刷表示して白抜きで文字または記号を表示しても良い。
【００４７】
【発明の効果】
以上述べたように、請求項１の電子閃光装置では、装置本体内に収容自在に配置される反射板に、操作部材の操作方法を記載したので、反射板を引き出した時にのみ操作部材の操作方法が目視可能になり、この結果、使用者に目障りにならないように操作部材の操作方法を確実に表示することができる。
【００４８】
また、複数の操作部材のうち２以上の操作部材を同時に操作する操作方法のみを反射板に記載するようにしたので、一度設定したら滅多に使用されない機能を、反射板の記載に基づいて容易，確実に設定することができる。
さらに、発光部からの閃光を反射する反射板に、操作部材の操作方法を記載したので、別途板部材を設けることなく操作方法を容易，確実に記載することができる。
請求項２の電子閃光装置では、反射板を装置本体から引き出した時に、反射板に記載される操作方法を、操作部材の目視方向と同一方向から目視可能にしたので、反射板に記載される操作方法を目視しながら、操作部材を容易，確実に操作することができる。
【図面の簡単な説明】
【図１】本発明の電子閃光装置の第１の実施形態を示す斜視図である。
【図２】図１の電子閃光装置を示す背面図である。
【図３】図１の電子閃光装置のセレクトスイッチを示す断面図である。
【図４】図１の電子閃光装置の反射板を示す断面図である。
【図５】図１の電子閃光装置の反射板のシールに印刷される図を示す説明図である。
【図６】図１の電子閃光装置の反射板の使用方法を示す説明図である。
【図７】本発明の電子閃光装置の第２の実施形態を示す説明図である。
【図８】従来の電子閃光装置の一例を示す背面図である。
【図９】従来の電子閃光装置の他の例を示す背面図である。
【符号の説明】
３１  上部装置本体
３３  下部装置本体
３７  発光部
４１  反射板
４９  シール
Ｓ１〜Ｓ８  スイッチ
【図１】
0004164882.tif 000002
【図２】
0004164882.tif 000003
【図３】
0004164882.tif 000004
【図４】
0004164882.tif 000005
【図５】
0004164882.tif 000006
【図６】
0004164882.tif 000007
【図７】
0004164882.tif 000008
【図８】
0004164882.tif 000009
【図９】
0004164882.tif 000010